(57)【要約】１つまたは複数の異なる支持材料を、明瞭な横断領域がある内側に収容するのに適合した外被（１）を有しており、ユーザの頭および足の部分に一致する、上記マットレスの上部および下部に、固定された支持材料（７、９、１１）が用意され、間に設けられた中間の領域には、固定された支持材料である横断アッセイ（ｔｒａｎｓｖｅｒｓｅ ａｓｓａｙ）（１１）が設けられ、近くの材料との間に空間をもち、上記中間の領域が有する支持特性をユーザが変更できるようにするために、外被は、上記空間に一致している複数の出入り口（４）を有しており、その出入り口は、１つまたはそれ以上の補助支持材料（１０）の差し込み、取り除き、および／または取り換えを容易にするのに適合している、ベッドマットレス。
2004505742.tif 000002
【特許請求の範囲】
【請求項１】
１つまたは複数の異なる支持材料を、明瞭な領域がある内側に収容するのに適合した外被を有しており、
上記明瞭な領域が有する支持特性をユーザが変更できるようにするために、上記マットレスまたは上記外被を分解することなく、上記外被は、１つまたはそれ以上の支持材料のすばやい差し込み、取り除き、および／または取り換えを提供する、ベッドマットレス。
【請求項２】
上記外被は、従順な作りであり、上記マットレスの端の周りに形成されて、上記マットレスの境界線を定めており、上記支持材料のすばやい差し込み、取り除き、および／または取り換えを提供するために、１つまたはそれ以上の支持材料の利用に供する１つまたはそれ以上の出し入れ口を組み入れることができる、請求項１に記載のマットレス。
【請求項３】
上記出し入れ口は、上記外被の側端に沿って用意されており、上記異なる支持材料は、上記マットレスの幅を横断するように輪郭が形成されている、請求項１または２に記載のマットレス。
【請求項４】
上記出入り口は、輪郭が形成されている支持材料の領域に一致しており、上記支持材料の差し込み、取り除き、および／または取り換えを容易にする、請求項２または３に記載のマットレス。
【請求項５】
１つまたは複数の異なる支持材料を、明瞭な領域がある内側に収容するのに適合した外被を有しており、
ユーザの頭および足の部分に一致する、上記マットレスの上部および下部に、固定された支持材料が用意され、
間に設けられた中間の領域には、固定された支持材料である横断アッセイ（ｔｒａｎｓｖｅｒｓｅ ａｓｓａｙ）が設けられ、近くの材料との間に空間をもち、
上記中間の領域が有する支持特性をユーザが変更できるようにするために、上記外被は、上記空間に一致している複数の出入り口を有しており、その出入り口は、１つまたはそれ以上の補助支持材料の差し込み、取り除き、および／または取り換えを容易にするのに適合している、ベッドマットレス。
【請求項６】
上記中間の領域における固定された支持材料は、一定のユーザに期待されている最小の支持基準を備えるために設計されており、上記補助支持材料を追加することによって、支持をすばやく増加させる、請求項５に記載のマットレス。
【請求項７】
上記支持材料は、内部バネ片、泡状物、乳液状物（ｌａｔｅｘ）、詰め物（ｐａｄｄｉｎｇ）、巻きつけられた綿、ゆるい充填物（ｌｏｏｓｅ ｆｉｌｌｉｎｇ）、および水袋（ｗａｔｅｒ ｂｌａｄｄｅｒｓ）を含む、知られた材料の組み合わせのいずれか１つから選択される、請求項１から６のいずれか１項に記載のマットレス。
【請求項８】
上記中間の領域にある固定された支持材料は、内部バネ支持材である、請求項５または６に記載のマットレス。
【請求項９】
上記外被は、従順な材料で形成されており、上記出し入れ口は、上記外被における開口部として形成されている、請求項１から８のいずれか１項に記載のマットレス。
【請求項１０】
上記外被は、上記マットレスの上端および／または下端に、さらに出入り口を備えている、請求項１から９のいずれか１項に記載のマットレス。
【請求項１１】
上記外被は、上記支持材料を完全に封入する上面および下面をさらに備えている、請求項１から１０のいずれか１項に記載のマットレス。
【請求項１２】
上記出し入れ口を利用できる外側のカバーをさらに含んでいる、請求項１から１１のいずれか１項に記載のマットレス。
【請求項１３】
ユーザの身体の、頭の部分、足の部分、および中間の部分に一致する、明瞭な横断領域（ｄｉｓｔｉｎｃｔ ｔｒａｎｓｖｅｒｓｅ ｒｅｇｉｏｎｓ）を備えており、複数の異なる支持材料を収容する、従順な作りの外被を有しており、
上記頭の部分および足の部分は、固定された支持材料を収容するのに適合されており、上記中間の部分は、内部バネを横に並べた形の支持材料を収容するのに適合されており、
上記中間の部分の支持特性を上記ユーザが変更できるようにするために、上記バネの間に補助支持材料をすばやく差し込むことを可能にする、上記内部バネの列の間に配置された複数の出し入れ口が、上記中間の部分に一致する上記外被の側端には用意されている、ベッドマットレス。
【請求項１４】
図面に特に参照しつつ実質的に先に述べられた、請求項１から１３のいずれか１項に記載のベッドマットレス。
【発明の詳細な説明】
（発明の紹介）
本発明は、ベッドマットレス、特に、複数の異なる支持帯（ｓｕｐｐｏｒｔ ｚｏｎｅｓ）を取り入れるのに適合したマットレスに関するものである。
（発明の背景）
寝床用マットレスは、ユーザにとってさまざまな支持状態を提供する型および形状のものを、広範囲にわたって利用することができる。
【０００１】
ベッドマットレスの主要な目的は、ユーザにとって最も望ましい、身体的なおよび医療的な要求に相応する支持を提供することにある。そのような最も望ましい支持には、マットレス上で静養するときにおけるユーザの体形に、おおよそ一致するマットレスが必要である。残念ながら、大部分の利用できるマットレスは、ユーザの体重の配分に比例して対応し、身体の最も重いところの締め付けは最も多くて、身体の最も軽いところの締め付けは最も少ない。これにより、マットレスの形状は、ユーザの身体における実際の肉体的形状を反映せずに、むしろ、ユーザの体重の配分によってマットレスに押し付けられる形状を反映するという結果になる。したがって、普通のマットレス上で静養するとき、身体の部分が有する体重の配分に起因する形状のうち、実際の体形を反映していない形状を、ユーザの身体は採用する。そのとき、ユーザの骨格は、ひねられねじ曲げられて、ユーザの体重の分配に対応するようなマットレスの形状に、一致することになる。
【０００２】
最も大きく曲がる場所は、肩および腰椎／腰（ｌｕｍｂｅｒ／ｈｉｐ）の部分である。通常、肩は、人間の体のうち最も広い部分であるが、胴体のうちの最も軽い領域である。したがって、ユーザが横向きに接して静養しているとき、肩は、体形と一致してあまりマットレスを押し付けず、ユーザが横向きに寝ているときは、いくぶん身体を曲げる結果となる。肩および上半身（ｕｐｐｅｒ ｔｏｒｓｏ）の部分に対して、胴体の腰および腰椎の部分は一般的にかなり重く、ユーザの身体のこの部分は、マットレスのその部分を不均衡に押し付ける。均一な堅さを有する普通のマットレスでは、上記のようなことにより、骨盤の部分が、身体のなかで支持が最も少ない部分となる。さらに、ユーザのウエストの部分とすぐ近くの腰の部分は、ウエストおよび重要な腰椎の部分から適度な支持とともにユーザを奪い、マットレスは腰の部分（ｈｉｐ ｒｅｇｉｏｎ）で強く押し付けられて、腰椎の部分に導くマットレスの隣接する部分も押し付けられて、実際には支持されるべきである。
【０００３】
最も望ましい支持を与えるためには、ベッドマットレスは、ユーザの身体の異なった部分に対して独立に対応できるようにするべきであり、少なくとも上部、中央部、および下部の胴体に対して、専用の支持を提供するべきである。それら胴体の上部、中央部、および下部は、すべて、異なった重量の配分を有しており、異なった支持を必要としている。
【０００４】
胴体の上部に領域”Ｃ”を、胴体の中央部に領域”Ｂ”を、胴体の下部に領域”Ｐ”を指定したこれら３つの部分を分析すると、最も望ましい支持を提供するのに必要な異なる要求が強調される。
【０００５】
下部胴体（骨盤部”Ｐ”）の重量Ｗｐは中央部胴体（腹部”Ｂ”）の重量Ｗｂの約１３０％であり、上部胴体（胸部”Ｃ”）の重量は重量Ｗｂの５０％である、と仮定する。
【０００６】
そのとき、
Ｗｂ　＝　Ｗｐ／１．３　＝　０．７７Ｗｐ
Ｗｃ　＝　０．５Ｗｂ　＝　０．３９Ｗｐ
となる。
【０００７】
もし、領域Ｂのマットレスのそりがごく小さい例えば１５ｍｍで、ユーザの背骨からなる腰椎の曲がりが約６０ｍｍとすると、均一な堅さまたは弾性を有するマットレスについて、領域Ｐおよび領域Ｃでのそりは、おおよそ、１５ｍｍ＋６０ｍｍ＝７５ｍｍとなる。そのようなそりは、（７５／１５）×［（１．０／１．３）×Ｋｐ］＝３８５％Ｋｐからなるバネ堅さ（ｓｐｒｉｎｇ ｓｔｉｆｆｎｅｓｓ）Ｋｂを必要とする。
【０００８】
領域Ｃでのバネ堅さＫｃは、（０．５／１．３）×Ｋｐ＝３９％Ｋｐであるべきである。
【０００９】
要約すると、領域Ｃ、ＢおよびＰにわたって最も望ましい支持を提供するためには、バネ堅さにおいて、次に示すおおまかな変化率（ｖａｒｉａｔｉｏｎ）を有するのが好ましい。
【００１０】
【表１】
2004505742.tif 000003
【００１１】
製品マットレスにおいて、通常、バネ堅さにおけるこのような変化率は用いられていない。末端ユーザの異なる身長によって領域Ｃ、Ｂ、およびＰの異なる配置を必要とするのに加えて、そのような範囲のバネ堅さにおける変化率を有するマットレス製造に要する高い経費によって、そのような性能特性を有するマットレスの製造および利用可能性が、現在まで妨げられている。
（発明の陳述）
１つの見方において、本発明は、１つまたは複数の異なる支持材料を、明瞭な領域がある内側に収容するのに適合した外被を有しており、上記マットレスの上記明瞭な領域が有する支持特性をユーザが変更できるようにするために、上記マットレスまたは上記外被を分解することなく、上記外被は、１つまたはそれ以上の支持材料のすばやい差し込み、取り除き、および／または取り換えを提供するベッドマットレスを提供する。
【００１２】
１つまたは複数の上記明瞭な領域は、ユーザの身体の異なる領域に合わせて、マットレスの長さ方向に沿って横断するように向けられてもよい。そのような実施形態において、支持材料は、マットレスの側壁を通して差し込まれてもよい。
【００１３】
上記支持材料は、内部バネ片、泡状物、乳液状物（ｌａｔｅｘ）、詰め物（ｐａｄｄｉｎｇ）、巻きつけられた綿、ゆるい充填物（ｌｏｏｓｅ ｆｉｌｌｉｎｇ）、および水袋（ｗａｔｅｒ ｂｌａｄｄｅｒｓ）などを含む、適した製品のうちのいずれかから選択されてもよい。
【００１４】
上記外被は、支持材料の選択をまとめるために必要な収容物であり、泡状物または柔らかい構造物（ｓｏｆｔ ｆａｂｒｉｃ）で構成されてもよく、その外被は、側端、上端、下端、上面、および下面を有している。
【００１５】
外被にある出し入れ口は、マットレスの領域への接近（ａｃｃｅｓｓ）を与え、本来の場所にある支持材料の変更を可能にして、特定の場所の堅さを増加または減少させる。
【００１６】
もう１つの見方において、本発明は、１つまたは複数の異なる支持材料を、明瞭な領域がある内側に収容するのに適合した外被を有しており、ユーザの頭および足の部分に一致する、上記マットレスの上部および下部に、固定された支持材料が用意され、間に設けられた中間の領域には、固定された支持材料である横断配列（ｔｒａｎｓｖｅｒｓｅ ａｒｒａｙ）が設けられ、近くの材料との間に空間をもち、上記マットレスの上記中間の領域が有する支持特性をユーザが変更できるようにするために、上記外被は、上記空間に一致している複数の出入り口を有しており、その出入り口は、１つまたはそれ以上の補助支持材料の差し込み、取り除き、および／または取り換えを容易にするのに適合しているベッドマットレスを提供する。
【００１７】
固定された支持手段の配列は、どのような適した支持材料でも使用可能であるけれども、横断する列に形成された内部バネの列（ａ ｂａｎｋ ｏｆ ｉｎｎｅｒ ｓｐｒｉｎｇｓ）であってもよい。
【００１８】
支持材料を受け入れる列と列との間にある空間と一致している細長い開口部または隙間を有する泡状物によって、中間の領域が縁取られていてもよく、上記支持材料は、上記列間に滑るように差し込むことが可能で、上記中間の領域に対する追加の支持を与える。
【００１９】
マットレスの上記外被は、上記中間の領域と合わせた、側端の出し入れ開口部を備えていてもよい。
【００２０】
本発明を、次の図面を参照しつつ詳細に説明する。
【００２１】
図１は、改良されたベッドマットレスの縦方向断面図を示している。
【００２２】
図２は、マットレスの概要透視図である。
【００２３】
図３は、改良されたベッドマットレスの一例を示している。
【００２４】
図４は、本発明の第２の実施形態を示している。
【００２５】
図５は、マットレスの中間部を示している。
【００２６】
図６は、中間部の詳細を示している。
（本発明の詳細な記述）
それでは、図１〜図６に記載されているような２つの独特の実施形態を参照して、本発明を説明する。
【００２７】
まず図１を参照すれば、本発明の改良されたベッドマットレスが、従順で適切な触感を有する材料でできている外被（ｏｕｔｅｒ ｃａｓｉｎｇ）１を含んでいることが分かる。外被は、形状を有しており、シングル、ダブル、クイーン、またはキングを含む規格マットレスの寸法をとる。外被は、２つの側端と上端と下端と上面および下面とを有している。外被は、１つまたはより多くの支持材料３を収納するのに適した内容積２を含んでいる。支持材料は、マットレスの土台を形成する。本発明における特有の点および特有の配置は、統合されたマットレスとして機能するが特有の領域を形成するために、たった１つの外被１に収容される複数の支持材料を与える。
【００２８】
さて、図２によれば、支持材料は、堅さおよび弾力性を変化させさらに適度な堅さおよび弾力性をもって選択され、ユーザの身体のさまざまな部分を適切に支持している。外被１は、内容積２への通路を与えるために、出し入れ口（ｐｏｒｔ）４とカバー部５とを提供しており、マットレスが有する内容積２の中のさまざまな支持材料を差し込むことと交換することとを可能にしている。本発明の特徴点は、内部のバネマットレス部からの取り出しが可能なたくさんの支持部材、中身が詰まったまたは中空の、ゴムまたは一般的に手に入れることができるどのような支持材料を、手早く混合して並置することを考慮していることにある。外被１には、マットレスが二重の占有空間（ｄｕａｌ ｏｃｃｕｐａｎｃｙ）を有するために用いられる、中央で縦方向の仕切り６を提供するのが好ましい。二重の占有空間の場合、出し入れ口は、外被のどちらか一方の端に提供され、事前に設計された支持材料のすばやい差し込みを可能にする。あるいは、支持材料の部分を、側面の入り口により建て直すことができる。
【００２９】
外被は、さまざまな接触面同士のなめらかな変化を有する、完全に統合されたハイブリッドマットレスを提供するために、オーストラリア特許（６８１９０３）に開示されている特徴を取り込んでもよい。
【００３０】
使用時において、先に述べたように、ユーザの身体の領域Ｃ、Ｂ、およびＰにわたって適度なまたは専用の望ましい支持を提供するために、本発明は、控え目な区画または部分を有するマットレスを組み立てさせる。
【００３１】
まず、本発明により、ユーザの異なる身長と肉体的特徴とを十分に考慮する、”理想的な”マットレスを組み立てることができる。
【００３２】
一般的に、ベッドの上部（ｈｅａｄ）に設置された枕に頭を乗せた状態で、異なった身長の人々はベッドに横たわる。頭部は、一定量の支持を必要とする。そこから、上部胴体の領域Ｃは、上部胴体という相対的に小さい部分をマットレスの柔らかい領域の中へ沈ませるような、堅さの小さい支持材料を必要とする。中央部胴体部Ｂは、下部胴体領域Ｐの重量を相殺するために、一般的にやや堅いタイプの支持を必要とする。そのような追加の堅める材料（ｓｔｉｆｆｅｎｉｎｇ）は、高密度形状の棒状物である補助挿入物（ａｕｘｉｌｉａｒｙ ｉｎｓｅｒｔｓ）１０によって提供される。その補助挿入物１０は、１つの出し入れ口４を通して差し込み可能で、中央部胴体領域Ｂの堅さを増加させて、下部胴体領域Ｐにより引き起こされる重量および曲げを相殺する。
（例１）
図３によれば、特徴的な好ましい本発明の実施の形態の１つは、領域７および８において、標準のインナースプリングマットレス支持材料（ｓｔａｎｄａｒｄ ｉｎｎｅｒ ｓｐｒｉｎｇ ｍａｔｔｒｅｓｓ ｓｕｐｐｏｒｔ ｍａｔｅｒｉａｌｓ）（横並びのバネを有する）の使用を含んでいる。領域９においては、泡状または乳液状のゴム支持材が用いられる。領域７および８の堅さは１Ｋｐに選択される。領域９の堅さは、０．４Ｋｐ、または好ましくは０．３−０．９５Ｋｐの範囲で選択される。腰椎の部分を部分的に堅さを上げるためには、腰椎の支持を提供するのが必要な部分において、領域８の堅さを増加させるのを目的に、バネの列を通して多くの高密度な泡状の細片を横切るように差し込む。
【００３３】
もちろん、もし領域７および９における支持材料の堅さについて修正を必要としているならば、本発明のマットレスにより、外被の側端にある適切な出し入れ口を介して、これらの領域にすばやく接近できる。
（例２）
本発明の特に好ましい実施形態では、ベッドマットレスは、中央または腰椎の領域にだけ出し入れ供給口（ｐｏｒｔｉｎｇ ｐｒｏｖｉｓｉｏｎｓ）を持つものを形成し、頭部の領域および足の領域において、支持材料７および９は永久に組み入れられている。図４〜図６は、本発明における上記実施の形態の一例を示している。出し入れ領域４は、マットレスユニットに沿った中程に配置されている。そのマットレスユニットは、出し入れ開口部４を備えている外被１を有しており、出し入れ開口部４は、どちらかの側端に沿った中程に備えられている。その出し入れ開口部４は、すばやくかつ直接の接近用に、ファスナー１２による開閉が可能である。もちろん、ファスナー１２は、他の閉じる手段で置き換えられてもよい。本発明の特有の実施形態は、ユーザの要求に合致した支持材料７および９を選択することにより提供される。中央部の領域は、泡状物ハウジング１３の内部に備えられた内部バネ１１を有するケージといった形で、支持材料を備えている。そのやりかたとしては、バネの属する個々の列１４を配置して、泡状物ハウジングにおける出し入れ開口部（ｐｏｒｔ ｏｐｅｎｉｎｇｓ）４に一致させている。また、強化棒状物（ｓｔｉｆｆｅｎｉｎｇ ｂａｒ）１０の形の補助支持材料は、マットレスの決定的な領域において提供される支持をすばやく合わせるために、ケージ１１の中にすばやく差し込むことができる。ところで、図５によれば、マットレスは、支持材料７および９の固定された領域を含んでおり、マットレスの大部分を横切る”より柔らかい肩の区域”を形成している支持材料９をどちらかの端に有していることが分かる。この”Ｃ”領域に対する支持材料は、おそらく、０．９５から０．３Ｋｐの範囲内である圧縮／重量比Ｋｃを有するのが最も好ましい。中間の領域は、バネケージ１１を有する形で、”規模が小さくされた”型の内部バネマットレスを有している。そのバネケージ１１は、複数のバネで構成されている。また、そのバネは、泡状物ケージにおける開口部１４と一致する列と列との間の隙間に、列を形成している。それによって、強化棒状物１０をすばやく差し込むこと、取り除くこと、または調整することが可能となる。あるいは、図５に示すように、強化棒状物１０の差し込まれる位置をバネの列自身が決定するようにして、開口部１４が省略されてもよい。本発明のマットレスのユーザが、マットレスの構造を大きく崩すことなく、幅広いおよびさまざまな個々の調整ができるような、堅さおよび高さの範囲において、強化棒状物を用意できる。本発明のマットレスによれば、寝具類（ｂｅｄｄｉｎｇ）の取り外しおよび取り除きをすることなく、支持の調整をすることさえも可能である。必要なことは、片側から寝具類を引き上げ、ファスナーまたは閉じ具１２を開けて、要求されるように強化棒状物１０を調整することだけである。
【００３４】
本発明のこの実施形態において特に有利な点は、マットレスの領域７および９に対してわずかな支持を用意する必要性の排除を含んでいることであり、その必要性とは、もし、堅さの点で調整可能な最小の支持の基準を考慮するために、すべてのマットレスが調整できるようにする必要があるならば、要求されるであろうものである。調整が要求されている最も重要なマットレスの領域は腰椎の領域であり、本発明のこの実施形態では、それに応じて、支持領域７および９は、
ユーザが求めている範囲を用意する限定された範囲の堅さを提供されることができる、または、完全に省略してもよい。そして、強化棒状物１０を用意することによって調整が可能な最小範囲の堅さの提供を、重要な腰椎の部分だけが必要としている。さらに、マットレスの全面にわたって提供される範囲の堅さを完全に手に入れるためには、本発明におけるこの実施形態の外被１が、最大の透明感と堅さと内部のマットレス構造物に与える、とりわけ従順で柔らかい材料で構成されるのが好ましい。もちろん、ユーザの要求により、より柔らかい腰椎領域およびより堅い肩の領域を求めるならば、本発明は、そのような構成をすばやく提供することができる。
【００３５】
使用すれば、下部胴体の領域が大きく曲げるマットレスに、ユーザは横たわる。強化棒状物１０は、近くの腰椎の領域が応答するのを妨げて、必要な支持を提供する。上部胴体の領域９は、身体のうちの軽い場所をマットレスに沈ませる。それによって、マットレスの長さ方向にわたってのすべての支持を提供している間は、ユーザの身体の全体におよぶ形状を維持する。
【００３６】
本発明は、異なった堅さからなるさまざまな支持材料を寄せ集める（ｍｏｓａｉｃｉｎｇ）ことができ、マットレスは、強化棒状物などを用意することによって、領域作製のすばやい利用を提供する。よって、以下のような商業的に可能な初めてのマットレス、つまり、一般的なマットレスのように大量生産が可能なマットレスと、ユーザの身体における異種の領域Ｃ、Ｂ、およびＰに対して専用の支持手段を用意することにより、身体のさまざまな領域を収容するために、特に作製されたマットレスとを提供することができる。マットレス上のユーザに対して最も望ましい支持を用意するために、ユーザの”形状の輪郭”に極めて正確に合わせたユーザの”体重の輪郭”を有することによって、効果的に解決することができるマットレスを、本発明は初めて提供する。
【００３７】
なお、具体的に実施形態に示されている本発明に対しては、広範に記載された本発明の精神または範囲から離れることなく、さまざまな変形および／または改良がなされることが可能であるということは、当業者によって理解されるであろう。したがって、すべての点において、本発明の実施形態は、実例となるものとして解釈されるべきであって制限的に解釈されるべきではない。
【図面の簡単な説明】
【図１】
図１は、改良されたベッドマットレスの縦方向断面図を示している。
【図２】
図２は、マットレスの概要透視図である。
【図３】
図３は、改良されたベッドマットレスの一例を示している。
【図４】
図４は、本発明の第２の実施形態を示している。
【図５】
図５は、マットレスの中間部を示している。
【図６】
図６は、中間部の詳細を示している。
【国際公開パンフレット】
2004505742.tif 000004
2004505742.tif 000005
2004505742.tif 000006
2004505742.tif 000007
2004505742.tif 000008
2004505742.tif 000009
2004505742.tif 000010
2004505742.tif 000011
2004505742.tif 000012
2004505742.tif 000013
2004505742.tif 000014
2004505742.tif 000015
2004505742.tif 000016
2004505742.tif 000017
2004505742.tif 000018
2004505742.tif 000019
2004505742.tif 000020
【国際調査報告】
2004505742.tif 000021
2004505742.tif 000022
2004505742.tif 000023